(57)【要約】【課題】制御ケースの端面に設けた操作手段をその上面部または、側面部のどちらの方向から押しても制御回路上に配置した横型の押しボタン式スイッチを押して操作を可能とすること。【解決手段】発熱体５を内蔵した本体６と、前記発熱体５の温度を制御する制御回路７と、前記制御回路７を内装し、前記本体６の端部に設けた制御ケース２と、電源の入切や前記発熱体５の温度等を設定する操作手段４とを備え、前記操作手段４は前記制御ケース２に対して回動自在つまり、操作手段４の上面部８の左右に操作手段回転軸１０ａを設け、制御ケース２には、前記操作手段回転軸１０ａに嵌合する制御ケース孔部１１ｂを設けることにより、操作手段４の上面部８を押した場合、操作手段回転軸１０ａを支点として、回転モーメントが働き、横向きの力Ｆが発生する。これにより、制御回路７上に配置された横型の押しボタン式スイッチ３を押して操作することができる。【選択図】図２
2005233448.tif 000002
【特許請求の範囲】
【請求項１】
発熱体を内蔵した本体と、前記発熱体を制御する制御回路と、前記制御回路を内装し、前記本体に設けた制御ケースと、電源の入切や前記発熱体の温度等を設定する操作手段とを備え、前記操作手段は、前記制御ケースの端面に配置し、制御ケースの上面から側面を覆うＬ型形状であり、前記制御ケースに対して回動自在に取り付けた面状採暖具。
【請求項２】
操作手段はＬ型形状の上面部左右に操作手段回転軸を設け、制御ケースには、前記操作手段回転軸に嵌合する制御ケース孔部を設けた請求項１に記載の面状採暖具。
【請求項３】
操作手段はＬ型形状の上面部の左右に操作手段孔部を設け、制御ケースには、前記操作手段孔部に嵌合する制御ケース回転軸を設けた請求項１に記載の面状採暖具。
【請求項４】
操作手段は、Ｌ型形状の上面部裏面に凸形状部を設け、制御ケースには、前記凸形状部に嵌合する溝部を設けた請求項１に記載の面状採暖具。
【請求項５】
操作手段のＬ型形状の上面部は、側面部に向かって下方向に傾斜している請求項１〜４のいずれか１項に記載の面状採暖具。
【発明の詳細な説明】
【技術分野】
【０００１】
本発明は電気カーペット等の面状採暖具に関するものである。
【背景技術】
【０００２】
従来、この種の面状採暖具の操作手段は、制御回路上に配置した上下にスイッチが動作する縦型の押しボタン式スイッチを押すために設けられ、操作手段の防水性を確保するために操作手段の上方にエンボス加工を施した柔軟性のある表示ラベルを配置するのが一般的であり、表示ラベルには接着スペースである接着代の確保が必要であったため、必然的に操作手段は制御ケースの上面中央に配置していた（例えば、特許文献１参照）。
【０００３】
図８は、前記公報に記載された従来の電気採暖機の操作部の断面図を示したものである。図８に示すように、柔軟性のある表示ラベル１と、可撓性の材料からなる制御ケース２と、押しボタン式スイッチ３と、前記、押しボタン式スイッチ３を押すひんじ式の操作手段４とから構成され、前記、操作手段４は、前記、制御ケース２と一体に成形されている。従来の面状採暖具においても同様の構成となっていた。
【特許文献１】特開平０５−０２８８８０号公報
【発明の開示】
【発明が解決しようとする課題】
【０００４】
しかしながら、前記従来の構成では、操作手段が制御ケースの上面に配置され、しかも防水性の確保のため、操作手段の上方に柔軟性のある表示ラベルを貼り付けていた。そのため、表示ラベルの接着代やエンボス加工を施すためのスペースが必要でり、操作手段を制御ケースの端面に構成することが困難であった。一方、面状採暖具を使用する場合には、床面に制御ケースが置かれるため、使用者が制御ケースを踏んだり、机や椅子等の脚により、誤って操作手段が押されてしまうという課題を有していた。
【０００５】
また、上記の誤って操作手段が押されるのを抑制するため、操作手段を制御ケースの側面に配置し、制御回路上には左右にスイッチが動作する横型の押しボタン式を配置した構成のものもあるが、この場合、上から見た時にどこに操作手段があるのか、わかりにくいという視認性の面で課題を有していた。
【０００６】
さらには、上記課題の視認性を良くするため、制御ケースの端面の一部を切り欠いて操作手段の上から視認性を良くしたものもあるが、この構成の場合には、横型の押しボタン式スイッチを用いる場合が多く、使用者が操作手段の押す方向がわかりにくいため、上面部から操作手段を押した場合、操作できないという使い勝手の面で課題を有していた。
【０００７】
本発明は、前記従来の課題を解決するもので、操作手段を制御ケースの端面に配置し誤って操作手段が押されるのを抑制するとともに、操作手段をＬ型形状に構成することにより視認性を高め、さらには操作手段を押して操作する場合に操作手段の上面部または側面部のどちらの方向から押しても操作可能とした面状採暖具を提供することを目的とする。
【課題を解決するための手段】
【０００８】
前記従来の課題を解決するために、本発明の面状採暖具は、操作手段を制御ケースの端面に配置し、制御ケースの上面から側面を覆うＬ型形状であり、前記制御ケースに対して回動自在に取り付けたものである。
【０００９】
これによって、操作手段の視認性を高め、操作手段を制御ケースの端面に配置することにより、制御ケースを踏まれた場合にも誤って操作手段が押されることを抑制することができる。さらには、操作手段を制御ケースに対して回動自在に取り付けたことにより、操作手段の上面部または、側面部のどちらの方向から押しても横向きの力Ｆが働き、制御回路上に配置された横型の押しボタン式スイッチを押して操作することが可能となる。
【発明の効果】
【００１０】
本発明の面状採暖具は、制御ケースの端面に配置した操作手段をその上面部及び側面部のどちらの方向から押しても制御回路上に配置された横型の押しボタン式スイッチを押して操作することができる。
【発明を実施するための最良の形態】
【００１１】
第１の発明は、発熱体を内蔵した本体と、前記発熱体を制御する制御回路と、前記制御回路を内装し、前記本体に設けた制御ケースと、電源の入切や前記発熱体の温度等を設定する操作手段とを備え、前記操作手段は、前記制御ケースの端面に配置し、制御ケースの上面から側面を覆うＬ型形状であり、前記制御ケースに対して回動自在に取り付けることにより、操作手段をその上面部及び側面部のどちらの方向から押しても操作可能となり、特に操作手段を上面部から押した場合には、操作手段が制御ケースに対して回動自在に取り付けられているため、取付部を支点として操作手段に回転モーメントが働き、横向きの力Ｆが発生し、制御回路上に配置した横型の押しボタン式スイッチを押して操作することができる。
【００１２】
第２の発明は、特に、第１の発明の操作手段のＬ型形状の上面部左右に操作手段回転軸を設け、制御ケースには、前記操作手段回転軸に嵌合する制御ケース孔部を設けることにより、特に操作手段を上面部から押した場合に、操作手段の上面部左右に設けた操作手段回転軸を支点として回転モーメントが働き、横向きの力Ｆが発生し、制御回路上に配置した横型の押しボタン式スイッチを押して操作することができる。
【００１３】
第３の発明は、特に、第１の発明の操作手段のＬ型形状の上面部左右に操作手段孔部を設け、制御ケースには、前記操作手段孔部に嵌合する制御ケース回転軸を設けることにより、特に操作手段を上面部から押した場合に、操作ケースに設けた操作ケース回転軸を支点として操作手段に回転モーメントが働き、横向きの力Ｆが発生し、制御回路上に配置した横型の押しボタン式スイッチを押して操作することができる。
【００１４】
第４の発明は、特に、第１の発明の操作手段のＬ型形状の上面部裏面に凸形状部を設け、制御ケースには、前記凸形状部に嵌合する溝部を設けることにより、特に操作手段を上面部から押した場合に、操作手段の上面部裏面に設けた凸形状部の先端を支点として回転モーメントが働き、横向きの力Ｆが発生し、制御回路上に配置した横型の押しボタン式スイッチを押して操作することができる。
【００１５】
第５の発明は、特に、第１〜４のいずれか１つの発明の操作手段の上面部を、側面部に向かって下方向に傾斜させることにより、特に操作手段を上面部から押した場合に、操作手段の上面部が傾斜しているため、操作手段に回転モーメントが働きやすくなり横向きの力Ｆが発生し、制御回路上に配置した横型の押しボタン式スイッチを押して操作することができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における面状採暖具の一部を透視した平面図を示すものであり図２は本発明の第１の実施の形態における面状採暖具の操作手段の構成を示した部分断面図である。
【００１８】
図１において、制御ケース２は発熱体５を内蔵した本体６に配置され、発熱体５を制御する制御回路７を内装しいる。さらに、制御ケース２には、電源の入切や発熱体５の温度や、暖房面積の切り換え、タイマー運転を設定する操作手段４を有している。
【００１９】
さらに、図２に示すように、操作手段４は前記制御ケース２の端面に配置され、制御ケース２の上面から側面を覆うＬ型形状（図においては逆Ｌ字形状）であり、操作手段４の上面部８の左右に設けた操作手段回転軸１０ａが制御ケース２に設けた制御ケース孔部１１ｂに嵌合する構成であり、制御ケース２に対して回動自在に取り付けられている。また、横型の押しボタン式スイッチ３は、制御回路７上に配置され、操作手段４の作用部１２と接触している。
【００２０】
以上のように構成された面状採暖具について、以下その動作、作用を説明する。なお、図３は、本発明の第１の実施の形態における面状採暖具の操作手段操作時の断面図である。まず、図３に示すように操作手段４を上面部８から押した場合、操作手段４の上面部８の左右に設けた操作手段回転軸１０ａを支点として、回転モーメントが働き、横向きの力Ｆが発生する。
【００２１】
以上のように、本実施の形態においては、操作手段４を制御ケース２と回動自在つまり、操作手段４の上面部８の左右に操作手段回転軸１０ａを設け、制御ケース２には、前記操作手段回転軸１０ａに嵌合する制御ケース孔部１１ｂ（図示せず）を設けることにより、操作手段４の上面部８を押した場合、操作手段回転軸１０ａを支点として、回転モーメントが働き、横向きの力Ｆが発生する。これにより、制御回路７上に配置された横型の押しボタン式スイッチ３を押して操作することができる。なお、ここで操作手段４の回動量は押しボタン式スイッチ３のスイッチストローク量とほぼ同じであれば良く、実際には微少なものであるが、回動を妨げないと言う意味で回動自在と表現している。
【００２２】
また、図４は本発明の第１の実施の形態のおける面状採暖具の操作手段の構成を示した部分断面図であり、図４に示すように本実施の形態では、操作手段４の上面部８の左右に操作手段孔部１１ａを設け、制御ケース２には、前記操作手段孔部１１ａに嵌合する制御ケース回転軸１０ｂを設けることにより、操作手段４の上面部８を押した場合、制御ケース回転軸１０ｂを支点として、回転モーメントが働き、横向きの力Ｆが発生する。これにより、制御回路７上に配置された横型の押しボタン式スイッチ３を押して操作することができる。さらには、上記構成の場合、制御ケース２に孔を設けないため、制御ケース２内への水等の浸入を抑制する防水性の確保が可能となる。
【００２３】
また、図５は本発明の第１の実施の形態のおける面状採暖具の操作手段の構成を示した部分断面図であり、図６は、本発明の第１の実施の形態における面状採暖具の操作手段操作時の断面図である。図５に示すように、本実施の形態では、操作手段４の上面部８裏面に凸形状部１３を直線的に設け、制御ケース２には、前記、凸形状部１３に嵌合する溝部１４を設けることにより、図６に示すように、操作手段４の上面部８を押した場合、操作手段４の凸形状部１３の先端を支点として、回転モーメントが働き、横向きの力Ｆが発生する。これにより、制御回路７上に配置された横型の押しボタン式スイッチ３を押して操作することができる。
【００２４】
また、図７は本発明の第１の実施の形態のおける面状採暖具の操作手段操作時の断面図であり、図７に示すように、本実施の形態の操作手段４の上面部８を側面部９に向かって下方向に傾斜させることにより、操作ボタン４の上面部８を押した場合、上面部８に傾斜を設けているため、操作手段４に回転モーメントが容易に働き、横向きの力Ｆが発生しやすくなる。これにより、制御回路７上に配置された横型の押しボタン式スイッチ３を押して操作することができる。
【００２５】
なお、以上の実施の形態および図において、操作手段４の操作は上面部８を上から指で押さえるように説明したが、押すことにより横向きの力Ｆが発生して押しボタン式スイッチ３を押すため、直接、操作手段４の側面を横方向に押しても同様に実施できることは言うまでもない。
【産業上の利用可能性】
【００２６】
以上のように、本発明にかかる面状採暖具は、制御ケースの端面に設けた操作手段をその上面部または、側面部のどちらの方向から押しても制御回路上に配置した横型の押しボタン式スイッチを押して操作することが可能となるので、電気ストープや電気温風機などの電気採暖機の操作部等の用途にも適用できる。
【図面の簡単な説明】
【００２７】
【図１】本発明の実施の形態１における面状採暖具の操作部の一部透視平面図
【図２】本発明の実施の形態１における面状採暖具の操作手段の構成を示した部分断面図
【図３】本発明の実施の形態１における面状採暖具の操作手段操作時の断面図
【図４】本発明の実施の形態１における面状採暖具の操作手段の構成を示した部分断面図
【図５】本発明の実施の形態１における面状採暖具の操作手段の構成を示した部分断面図
【図６】本発明の実施の形態１における面状採暖具の操作手段操作時の断面図
【図７】本発明の実施の形態１における面状採暖具の操作手段操作時の断面図
【図８】従来の電気採暖機の操作部の断面図
【符号の説明】
【００２８】
１  表示ラベル
２  制御ケース
３  押しボタン式スイッチ
４  操作手段
５  発熱体
６  本体
７  制御回路
８  上面部
９  側面部
１０ａ  操作手段回転軸
１０ｂ  制御ケース回転軸
１１ａ  操作手段孔部
１１ｂ  制御ケース孔部
１２  作用部
１３  凸形状部
１４  溝部
【図１】
2005233448.tif 000003
【図２】
2005233448.tif 000004
【図３】
2005233448.tif 000005
【図４】
2005233448.tif 000006
【図５】
2005233448.tif 000007
【図６】
2005233448.tif 000008
【図７】
2005233448.tif 000009
【図８】
2005233448.tif 000010